(57)【要約】【課題】ユーザによる復帰作業を不要とし、画像形成実行までの待ち時間を短縮することができる制御装置、画像形成システム、コンピュータプログラム及び制御方法を提供する。【解決手段】記憶部１０３は、ユーザ毎に画像形成装置の使用頻度に関する情報を記憶する。取得部１０２でユーザの印刷要求を取得した場合、動作状態判定部１０５は、複数の画像形成装置の中から当該ユーザの使用頻度が高い画像形成装置を選択し、選択した画像形成装置が省電力モードにあるか否かを判定する。動作状態制御部１０６は、画像形成装置が省電力状態であると判定された場合、当該画像形成装置を省電力状態から通常状態へ移行すべく指示を出力する。【選択図】図２
2012018632.tif 000002
【特許請求の範囲】
【請求項１】
省電力状態から移行することにより画像形成が可能となる複数の画像形成装置の動作状態を制御する制御装置であって、
ユーザの印刷要求を取得する印刷要求取得手段と、
前記画像形成装置の使用頻度に関する情報をユーザ毎に記憶する記憶手段と、
前記印刷要求取得手段でユーザの印刷要求を取得した場合、該ユーザの使用頻度が高い画像形成装置が省電力状態にあるか否かを判定する判定手段と、
該判定手段で前記画像形成装置が省電力状態であると判定した場合、該画像形成装置を省電力状態から移行すべく指示を出力する出力手段と
を備えることを特徴とする制御装置。
【請求項２】
前記記憶手段に記憶した情報を更新する更新手段を備えることを特徴とする請求項１に記載の制御装置。
【請求項３】
前記画像形成装置の省電力状態を維持する維持要求を取得する取得手段と、
該取得手段で維持要求を取得した場合、前記出力手段による出力を禁止する禁止手段と
を備えることを特徴とする請求項１又は請求項２に記載の制御装置。
【請求項４】
前記印刷要求取得手段は、
親展印刷要求を取得するように構成してあることを特徴とする請求項１から請求項３までのいずれか１項に記載の制御装置。
【請求項５】
請求項１から請求項４までのいずれか１項に記載の制御装置と、省電力状態から移行することにより画像形成が可能となる複数の画像形成装置とを備えることを特徴とする画像形成システム。
【請求項６】
コンピュータに、省電力状態から移行することにより画像形成が可能となる複数の画像形成装置の動作状態を制御するステップを実行させるためのコンピュータプログラムであって、
コンピュータに、
ユーザの印刷要求を取得した場合、該ユーザの使用頻度が高い画像形成装置が省電力状態にあるか否かを判定するステップと、
前記画像形成装置が省電力状態であると判定した場合、該画像形成装置を省電力状態から移行すべく指示を出力するステップと
を実行させることを特徴とするコンピュータプログラム。
【請求項７】
省電力状態から移行することにより画像形成が可能となる複数の画像形成装置の動作状態を制御する制御装置による制御方法であって、
前記画像形成装置の使用頻度に関する情報をユーザ毎に記憶しておき、
ユーザの印刷要求を取得するステップと、
該取得するステップでユーザの印刷要求を取得した場合、該ユーザの使用頻度が高い画像形成装置が省電力状態にあるか否かを判定するステップと、
該判定するステップで前記画像形成装置が省電力状態であると判定した場合、該画像形成装置を省電力状態から移行すべく指示を出力するステップと
を含むことを特徴とする制御方法。
【発明の詳細な説明】
【技術分野】
【０００１】
本発明は、省電力状態から移行することにより画像形成が可能となる複数の画像形成装置の動作状態を制御する制御装置、該制御装置を備える画像形成システム、該制御装置を実現するためのコンピュータプログラム及び前記制御装置による制御方法に関する。
【背景技術】
【０００２】
従来の画像形成システムは、ユーザが使用するパーソナルコンピュータ又は携帯端末装置等の情報処理装置と、複数の画像形成装置（プリンタ、複合機など）とがＬＡＮ等の通信回線を介して接続された構成をなす。そして、ユーザが情報処理装置から印刷ジョブを送信した場合、ユーザが選択した任意の画像形成装置において印刷（画像形成）が行われる。
【０００３】
また、複数のプリンタを複数のコンピュータ機器で共有し、電源の入っているコンピュータ機器の数に見合ったプリンタを起動状態にする電源管理装置を備えた印刷システムが開示されている（特許文献１参照）。
【０００４】
さらに、ユーザが遠方から印刷を行う場合に、ユーザが画像形成装置で直接印刷実行操作を行う時点まで印刷処理を保留することができる親展印刷機能を備える画像形成装置も存在する。例えば、情報処理装置から親展印刷ジョブを要求したユーザに対して、画像形成装置が省電力モードに移行する前に、移行する旨をユーザへ通知し、情報処理装置から省電力モードへの移行延長依頼が通知された場合、省電力モードへの移行を延長させる画像処理システムが開示されている（特許文献２参照）。
【先行技術文献】
【特許文献】
【０００５】
【特許文献１】特開２００３−３０３０７５２号公報
【特許文献２】特開２００８−３００９１４号公報
【発明の概要】
【発明が解決しようとする課題】
【０００６】
従来の画像形成装置では、省電力モードで待機している場合、画像形成処理を行うためには、省電力モードから通常モードへ移行する必要がある。しかしながら、例えば、特許文献２のシステムにあっては、通常モードにある画像形成装置を省電力モードへ移行させる場合に、省電力モードへの移行を延長することで省電力モードに入る前に画像形成処理を完了させ、印刷物の受け取りの遅延を回避することができるにすぎない。このため、画像形成を実行する予定の画像形成装置が既に省電力モードに入っている場合には、ユーザは印刷ジョブを要求した後に、画像形成装置を直接操作して省電力モードから通常モードへ移行させる必要があり、その移行に要する時間だけ待ち時間が生じるという問題があった。
【０００７】
本発明は、斯かる事情に鑑みてなされたものであり、ユーザによる移行作業を不要とし、画像形成実行までの待ち時間を短縮することができる制御装置、該制御装置を備える画像形成システム、該制御装置を実現するためのコンピュータプログラム及び前記制御装置による制御方法を提供することを目的とする。
【課題を解決するための手段】
【０００８】
本発明に係る制御装置は、省電力状態から移行することにより画像形成が可能となる複数の画像形成装置の動作状態を制御する制御装置であって、ユーザの印刷要求を取得する印刷要求取得手段と、前記画像形成装置の使用頻度に関する情報をユーザ毎に記憶する記憶手段と、前記印刷要求取得手段でユーザの印刷要求を取得した場合、該ユーザの使用頻度が高い画像形成装置が省電力状態にあるか否かを判定する判定手段と、該判定手段で前記画像形成装置が省電力状態であると判定した場合、該画像形成装置を省電力状態から移行すべく指示を出力する出力手段とを備えることを特徴とする。
【０００９】
本発明に係る制御装置は、前記記憶手段に記憶した情報を更新する更新手段を備えることを特徴とする。
【００１０】
本発明に係る制御装置は、前記画像形成装置の省電力状態を維持する維持要求を取得する取得手段と、該取得手段で維持要求を取得した場合、前記出力手段による出力を禁止する禁止手段とを備えることを特徴とする。
【００１１】
本発明に係る制御装置は、前記印刷要求取得手段は、親展印刷要求を取得するように構成してあることを特徴とする。
【００１２】
本発明に係る画像形成システムは、前述のいずれか１つの発明に係る制御装置と、省電力状態から移行することにより画像形成が可能となる複数の画像形成装置とを備えることを特徴とする。
【００１３】
本発明に係るコンピュータプログラムは、コンピュータに、省電力状態から移行することにより画像形成が可能となる複数の画像形成装置の動作状態を制御するステップを実行させるためのコンピュータプログラムであって、コンピュータに、ユーザの印刷要求を取得した場合、該ユーザの使用頻度が高い画像形成装置が省電力状態にあるか否かを判定するステップと、前記画像形成装置が省電力状態であると判定した場合、該画像形成装置を省電力状態から移行すべく指示を出力するステップとを実行させることを特徴とする。
【００１４】
本発明に係る制御方法は、省電力状態から移行することにより画像形成が可能となる複数の画像形成装置の動作状態を制御する制御装置による制御方法であって、前記画像形成装置の使用頻度に関する情報をユーザ毎に記憶しておき、ユーザの印刷要求を取得するステップと、該取得するステップでユーザの印刷要求を取得した場合、該ユーザの使用頻度が高い画像形成装置が省電力状態にあるか否かを判定するステップと、該判定するステップで前記画像形成装置が省電力状態であると判定した場合、該画像形成装置を省電力状態から移行すべく指示を出力するステップとを含むことを特徴とする。
【００１５】
本発明にあっては、複数の画像形成装置の使用頻度に関する情報をユーザ毎に記憶しておく。ユーザの印刷要求（印刷ジョブ）を取得した場合、複数の画像形成装置の中から当該ユーザの使用頻度が高い画像形成装置を選択し、選択した画像形成装置が省電力状態（省電力モード）にあるか否かを判定する。画像形成装置が省電力状態であると判定した場合、当該画像形成装置の省電力状態を解除する（通常モードへ移行する）。これにより、ユーザが印刷要求を実行した場合、そのユーザが使用する可能性の高い画像形成装置が省電力状態であるときには、当該画像形成装置を省電力状態から通常状態へ予め移行させておくことができるので、ユーザによる移行作業が一切不要となり、また画像形成実行までの待ち時間を短縮することができる。
【００１６】
本発明にあっては、記記憶手段に記憶した情報を更新する更新手段を備える。これにより、ユーザの画像形成装置の使用環境が変わった場合（例えば、ユーザの所在が変更になり、ユーザの近くにある画像形成装置が変わった場合）、あるいは画像形成装置の入れ替え等が発生した場合に、ユーザの使用頻度に関する情報を更新することができるので、ユーザが主に使用する画像形成装置を変更することができ、実際の使用状況に応じて臨機応変に対応することができる。
【００１７】
本発明にあっては、画像形成装置の省電力状態を維持する維持要求を取得した場合、省電力状態の解除を禁止する。すなわち、ユーザが省電力状態を維持することを要求した場合には、画像形成装置を通常状態へ移行せずに省電力状態を維持する。これにより、例えば、ユーザが印刷要求を実行した場合に、直ちに印刷物を必要としないとき、例えば、数時間後又は数日後に印刷出力するとき、あるいは複数の印刷要求を実行した場合、それぞれの印刷要求を纏めて印刷出力するときには、省電力状態を維持させておくことで、無駄な移行をさせることなく効率良く省電力を達成することができる。
【００１８】
本発明にあっては、印刷要求取得手段は、ユーザが画像形成装置に対して直接操作を行うことにより画像形成が可能な親展印刷要求を取得する。これにより、親展処理機能を備える画像形成装置で画像形成を行う場合でも、ユーザが画像形成装置に出向いて印刷出力を行うときに、画像形成装置は、既に省電力状態から通常状態に移行しているのでユーザによる移行作業が一切不要となり、画像形成実行までの待ち時間を短縮することができる。
【発明の効果】
【００１９】
本発明によれば、ユーザが印刷要求を実行した場合、そのユーザが使用する可能性の高い画像形成装置が省電力状態であるときには、当該画像形成装置を省電力状態から通常状態へ予め移行させておくことができるので、ユーザによる移行作業が一切不要となり、また画像形成実行までの待ち時間を短縮することができる。
【図面の簡単な説明】
【００２０】
【図１】本実施の形態の画像形成システムの構成の一例を示す模式図である。
【図２】本実施の形態のサーバの構成の一例を示すブロック図である。
【図３】本実施の形態のサーバによる使用頻度の高い画像形成装置の選択方法の一例を示す説明図である。
【図４】本実施の形態のサーバによる使用頻度の高い画像形成装置の選択方法の他の例を示す説明図である。
【図５】本実施の形態のサーバの処理手順の一例を示すフローチャートである。
【図６】本実施の形態のサーバの処理手順の他の例を示すフローチャートである。
【発明を実施するための形態】
【００２１】
以下、本発明を実施の形態を示す図面に基づいて説明する。図１は本実施の形態の画像形成システムの構成の一例を示す模式図である。画像形成システムは、ユーザが使用するパーソナルコンピュータ又は携帯端末装置などの情報処理装置１１、１２、１３、プリンタ又は複合機などの画像形成装置２０１、２０２、２０３、２０４、制御装置としてのサーバ１００などを備える。情報処理装置１１〜１３、画像形成装置２０１〜２０４、サーバ１００は、それぞれＬＡＮ等の通信ネットワークに接続されている。なお、図１では、情報処理装置１１〜１３が３台、画像形成装置２０１〜２０４が４台図示されているが、情報処理装置及び画像形成装置の台数は図１の例に限定されない。
【００２２】
ユーザは、例えば、自分用の情報処理装置１１を用いて通信ネットワークに接続された複数の画像形成装置２０１〜２０４の中から所望のもの（例えば、最も近くに設置された画像形成装置２０１）を選択して印刷要求を送出し、画像又は文書などの印刷出力を行うことができる。なお、印刷要求は、通常の印刷要求だけでなく親展印刷要求を送出することができる。親展印刷は、例えば、ユーザが画像形成装置の設置場所から離れた場所において印刷を行う場合に、印刷物が他人にアクセスされないようにするために、ユーザが画像形成装置で直接印刷実行操作を行う時点まで印刷処理を保留することができるものである。
【００２３】
画像形成装置２０１〜２０４は、画像処理部、印字エンジン部（不図示）などを備えている。情報処理装置１１〜１３から伝送されたページ記述言語データは、画像処理部にてエンジン出力用データに変換され、印字エンジン部で紙媒体などに対して画像形成が行われる。また、画像形成装置２０１〜２０４は、コピア機能、プリンタ機能、ファイリング機能、ファクシミリ送信機能又はScan to E-mail機能、液晶ディスプレイ及び操作ボタンなどを有する操作パネル等を備える。
【００２４】
画像形成装置２０１〜２０４は、ユーザが操作パネルを操作することにより直ちに印刷実行可能な通常状態（通常モード）と、所定時間使用されていない場合に画像形成装置の各部への電力供給を停止して消費電力を抑えるための省電力状態（省電力モード）との２つの運転モードを有する。省電力状態にある画像形成装置は、ユーザの操作により通常状態に移行（復帰）させることができる。また、後述するように、サーバ１００は、画像形成装置２０１〜２０４の運転モード（動作状態）を制御することができる。
【００２５】
図２は本実施の形態のサーバ１００の構成の一例を示すブロック図である。サーバ１００は、サーバ１００内の各部の処理を制御する制御部１０１、ユーザの印刷要求を取得する印刷要求取得手段としての取得部１０２、ユーザ毎に画像形成装置の使用頻度に関する情報を記憶するための記憶部１０３、ユーザの使用頻度が高い画像形成装置を選択するとともに、選択した画像形成装置が省電力状態にあるか否かを判定する判定手段としての動作状態判定部１０５、省電力状態の画像形成装置を通常状態へ移行させるべく指示を出力する出力手段としての動作状態制御部１０６、記憶部１０３に記憶した使用頻度に関する情報を更新する更新手段としての更新部１０４などを備える。
【００２６】
取得部１０２は、画像形成装置の省電力状態を維持する維持要求を情報処理装置１１〜１３から取得する。また、取得部１０２は、親展印刷要求を取得する。
【００２７】
図３は本実施の形態のサーバ１００による使用頻度の高い画像形成装置の選択方法の一例を示す説明図である。この場合、記憶部１０３には、ユーザ毎に各画像形成装置２０１〜２０４の直近１か月の使用回数を記憶しておく。図３の例は、あるユーザの使用頻度に関する情報を示し、例えば、画像形成装置２０１は、直近１か月の間に１０回使用している。また、画像形成装置２０２は、直近１か月の間に２５回使用している。以下同様である。
【００２８】
動作状態判定部１０５は、直近１か月の間に最も使用回数が多い画像形成装置２０２を使用頻度が高い画像形成装置として選択する。なお、図３の例では、期間が１か月であるが、これに限定されるものではなく、１週間、２週間、２か月等適宜設定することができる。
【００２９】
図４は本実施の形態のサーバ１００による使用頻度の高い画像形成装置の選択方法の他の例を示す説明図である。この場合、記憶部１０３には、ユーザ毎に各画像形成装置２０１〜２０４の直近の使用日時を記憶しておく。図４の例は、あるユーザの使用頻度に関する情報を示し、例えば、画像形成装置２０１は、今日使用されている。また、画像形成装置２０２は、昨日使用されている。以下同様である。
【００３０】
動作状態判定部１０５は、最も直近に使用された画像形成装置２０１を使用頻度が高い画像形成装置として選択する。なお、図４の例では、今日、昨日、１週間前等としているが、使用した時点の年月日時分を記憶するようにしてもよい。
【００３１】
取得部１０２でユーザの印刷要求（印刷ジョブ）を取得した場合、動作状態判定部１０５は、複数の画像形成装置の中から当該ユーザの使用頻度が高い画像形成装置を選択し、選択した画像形成装置が省電力状態（省電力モード）にあるか否かを判定する。
【００３２】
動作状態制御部１０６は、画像形成装置が省電力状態であると判定された場合、当該画像形成装置を省電力状態から通常状態へ移行すべく指示を出力する。これにより、ユーザが印刷要求を実行した場合、そのユーザが使用する可能性の高い画像形成装置が省電力状態であるときには、当該画像形成装置を省電力状態から通常状態へ予め移行させておくことができるので、ユーザによる移行作業が一切不要となり、また画像形成実行までの待ち時間を短縮することができる。
【００３３】
更新部１０４は、記憶部１０３に記憶した画像形成装置２０１〜２０４の使用頻度に関する情報を更新する。これにより、ユーザの画像形成装置の使用環境が変わった場合（例えば、ユーザの所在が変更になり、ユーザの近くにある画像形成装置が変わった場合）、あるいは画像形成装置の入れ替え等が発生した場合に、ユーザの使用頻度に関する情報を更新することができるので、ユーザが主に使用する画像形成装置を変更することができ、実際の使用状況に応じて臨機応変に対応することができる。
【００３４】
動作状態制御部１０６は、取得部１０２で画像形成装置の省電力状態を維持する維持要求を取得した場合、省電力状態から通常状態への移行を禁止する。すなわち、ユーザが省電力状態を維持することを要求した場合には、画像形成装置を通常状態へ移行せずに省電力状態を維持する。これにより、例えば、ユーザが印刷要求を実行した場合に、直ちに印刷物を必要としないとき、例えば、数時間後又は数日後に印刷出力するとき、あるいは複数の印刷要求を実行した場合、それぞれの印刷要求を纏めて印刷出力するときには、省電力状態を維持させておくことで、無駄な移行をさせることなく効率良く省電力を達成することができる。
【００３５】
また、取得部１０２は、親展印刷要求を取得することができる。これにより、親展処理機能を備える画像形成装置で画像形成を行う場合でも、ユーザが画像形成装置に出向いて印刷出力を行うときに、画像形成装置は、既に省電力状態から通常状態に移行しているのでユーザによる移行作業が一切不要となり、画像形成実行までの待ち時間を短縮することができる。
【００３６】
次に、本実施の形態のサーバ１００による画像形成装置の動作状態の制御方法について説明する。図５は本実施の形態のサーバ１００の処理手順の一例を示すフローチャートである。制御部１０１は、印刷要求（親展印刷要求でもよい）を取得したか否かを判定し（Ｓ１１）、印刷要求を取得していない場合（Ｓ１１でＮＯ）、ステップＳ１１の処理を続ける。
【００３７】
印刷要求を取得した場合（Ｓ１１でＹＥＳ）、制御部１０１は、印刷要求を行ったユーザについての画像形成装置の使用履歴（使用頻度に関する情報）を参照し（Ｓ１２）、使用頻度の高い画像形成装置を選択するとともに、選択した画像形成装置が省電力モード（省電力状態）であるか否かを判定する（Ｓ１３）。
【００３８】
省電力モードである場合（Ｓ１３でＹＥＳ）、制御部１０１は、省電力モードを解除して通常モード（通常状態）に復帰（移行）させ（Ｓ１４）、処理を終了する。省電力モードでない場合（Ｓ１３でＮＯ）、通常モードを維持させ、ステップＳ１４の処理を行わずに処理を終了する。
【００３９】
図６は本実施の形態のサーバ１００の処理手順の他の例を示すフローチャートである。図６の例は、ユーザが省電力モードの解除又は維持を選択することができる場合を示す。制御部１０１は、印刷要求（親展印刷要求でもよい）を取得したか否かを判定し（Ｓ２１）、印刷要求を取得していない場合（Ｓ２１でＮＯ）、ステップＳ２１の処理を続ける。
【００４０】
印刷要求を取得した場合（Ｓ２１でＹＥＳ）、制御部１０１は、省電力モードの維持要求があったか否かを判定する（Ｓ２２）。
【００４１】
省電力モードの維持要求がない場合（Ｓ２２でＮＯ）、制御部１０１は、印刷要求を行ったユーザについての画像形成装置の使用履歴（使用頻度に関する情報）を参照し（Ｓ２３）、使用頻度の高い画像形成装置を選択するとともに、選択した画像形成装置が省電力モード（省電力状態）であるか否かを判定する（Ｓ２４）。
【００４２】
省電力モードである場合（Ｓ２４でＹＥＳ）、制御部１０１は、省電力モードを解除して通常モード（通常状態）に復帰（移行）させ（Ｓ２５）、処理を終了する。省電力モードでない場合（Ｓ２４でＮＯ）、あるいは省電力モードの維持要求があった場合（Ｓ２２でＹＥＳ）、制御部１０１は、処理を終了する。
【００４３】
上述の実施の形態では、サーバ１００が記憶部を内蔵する構成であったが、これに限定されるものではなく、外部の記憶装置を設ける構成でもよい。
【００４４】
上述の実施の形態では、サーバ１００は、画像形成装置の動作状態を制御するものであったが、サーバ１００に印刷要求に基づく印刷データを一旦記憶させ、ユーザの指示により印刷データを印字出力可能に展開処理して画像形成装置へ送出させることもできる。
【００４５】
図５、図６で例示した各処理手順を示すプログラムコードをＲＡＭにロードしてＣＰＵで実行させることにより、本実施の形態のサーバ１００（制御装置）をプログラムコードにより実現することができる。
【００４６】
すなわち、コンピュータに実行させるためのプログラムコード（実行形式プログラム、中間コードプログラム、ソースプログラム）を記録したコンピュータ読み取り可能な記録媒体に、上記した処理手順（例えば、図５、図６）を記録することもできる。この結果、上述の動作状態の制御方法の処理を行うプログラムを記録した記録媒体を持ち運び自在に提供することができる。
【００４７】
なお、本実施の形態では、この記録媒体としては、マイクロコンピュータで処理が行われるためのメモリ（不図示）、例えば、ＲＯＭのようなプログラムメディアであってもよく、図示しない外部記憶装置としてのプログラム読取装置が設けられ、そこに記録媒体を挿入することで読み取り可能なプログラムメディアであってもよい。
【００４８】
いずれの場合においても、格納されているプログラムコードはマイクロプロセッサがアクセスして実行させる構成であってもよいし、プログラムコードを読み出し、読み出されたプログラムコードは、マイクロコンピュータの図示されていないプログラム記憶エリアにダウンロードされて、そのプログラムコードが実行される方式であってもよい。この場合、ダウンロード用のコンピュータプログラムは予め本体装置に格納されているものとする。
【００４９】
ここで、上記プログラムメディアは、本体と分離可能に構成される記録媒体であり、磁気テープやカセットテープ等のテープ系、フレキシブルディスクやハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であってもよい。
【００５０】
また、本実施の形態においては、インターネットを含む通信ネットワークを接続可能なシステム構成であることから、通信ネットワークからプログラムコードをダウンロードするように流動的にプログラムを担持する媒体であってもよい。なお、このように通信ネットワークからプログラムコードをダウンロードする場合には、そのダウンロード用のコンピュータプログラムは予め本体装置に格納しておくか、あるいは別の記録媒体からインストールされるものであってもよい。なお、本発明は、上記プログラムコードが電子的な伝送で具現化された、搬送波に埋め込まれたコンピュータデータ信号の形態でも実現され得る。
【符号の説明】
【００５１】
１１、１２、１３  情報処理装置
１００  サーバ（制御装置）
１０１  制御部
１０２  取得部（印刷要求取得手段、取得手段）
１０３  記憶部（記憶手段）
１０４  更新部（更新手段）
１０５  動作状態判定部（判定手段）
１０６  動作状態制御部（出力手段、禁止手段）
２０１、２０２、２０３、２０４  画像形成装置
【図１】
2012018632.tif 000003
【図２】
2012018632.tif 000004
【図３】
2012018632.tif 000005
【図４】
2012018632.tif 000006
【図５】
2012018632.tif 000007
【図６】
2012018632.tif 000008